(57)【要約】【課題】先端工具が覆われて視認できない状態でも容易に所望のものであることが確認可能になっているドライバを提供する。【解決手段】先端部に先端工具１１が形成されており、工具収容箱に収容されたときに先端工具１１の形状が工具収容箱に覆われて視認不可になるとともにその後端部２１が工具収容箱より露出して視認可能なドライバ１である。後端部２１に、先端工具１１の形状及びサイズを含む工具情報の少なくとも一部が色、図形、及び文字のうちの１以上の組み合わせにより表示されている。【選択図】図１
2009039831.tif 000002
【特許請求の範囲】
【請求項１】
先端部に先端工具が形成されており、所定の工具収容手段に収容されたときに前記先端工具の形状が前記工具収容手段に覆われて視認不可になるとともにその後端部が前記工具収容手段より露出して視認可能なドライバであって、
前記後端部には、前記先端工具の形状及びサイズを含む工具情報の少なくとも一部が表示されている、
ドライバ。
【請求項２】
前記工具情報は、色、図形、及び文字のうちの１以上により表示される、
請求項１記載のドライバ。
【請求項３】
前記先端工具と前記後端部との間に、周囲に滑り止め用の溝を有して断面円状に形成された柄を備えており、
前記後端部は、円盤状で前記柄に対して空回りするようになっており、円盤の径が前記柄の断面の円の径よりも大きく形成されている、
請求項１または２記載のドライバ。
【請求項４】
前記柄に、前記工具情報の前記後端部に表示されていない残部が、色、図形、及び文字のうちの１以上により表示される、
請求項３記載のドライバ。
【発明の詳細な説明】
【技術分野】
【０００１】
本発明は、例えばねじの締結に用いられるドライバに関する。
【背景技術】
【０００２】
ドライバは、ねじを回して固定する、又は、はずすための工具であり、サイズ、種類は多岐にわたる。例えば、先端部に形成される先端工具の種類による分類だけでも、プラスドライバ、マイナスドライバ、ポジドライブ・ドライバ、六角ドライバ、トルクスドライバ、三角ドライバ、ナットドライバ等がある。また、機能により分類すると、精密ドライバ、スタビードライバ、フレキシブルドライバ、電工ドライバ、検電ドライバ、ラチェットドライバ、トルクドライバ、インパクトドライバ、ショックドライバ、コアドライバ、貫通ドライバ等がある。
【０００３】
特許文献１は、径の異なるねじやナットの締め付けや共回りを防ぐ眼鏡用のドライバについての発明である。このドライバは、一本で径の異なる複数のナットの締め付けを可能にしている。
【特許文献１】特開２０００−３４３４４６号公報
【０００４】
ドライバは、保管時に、工具収容箱や保護カバーにより先端工具を保護する。そのために、ユーザは、保管時にドライバの先端工具を視認できず、所望のドライバを一目で確認することはできない。ドライバの柄は、先端工具ほどバリエーションがないために、ドライバの柄により所望のドライバを確認することも困難である。また、精密ドライバは、たとえ先端部が覆われていなくても、微妙なサイズの違いを一別することが難しい。
【発明の開示】
【発明が解決しようとする課題】
【０００５】
眼鏡の加工や機械式時計等の精密機械のように、多くの部品からなる機械の組立、修理を行う企業、店舗では、形状やサイズも様々な上記のようなドライバを複数用いて作業することがある。多くのドライバから所望のドライバを見つけることが、上記のような理由で困難であるために、このような企業、店舗では所望のドライバを一目で確認可能であることが、作業の効率化の上で重要な一要素になる。
【０００６】
本発明は、上記のような問題に鑑み、例えば先端工具が工具収容箱のようなもので覆われて視認できない状態でも容易に所望のものであることが確認可能になっているドライバを提供することを課題とする。
【課題を解決するための手段】
【０００７】
上記課題を解決する本発明のドライバは、先端部に先端工具が形成されており、所定の工具収容手段に収容されたときに前記先端工具の形状が前記工具収容手段に覆われて視認不可になるとともにその後端部が前記工具収容手段より露出して視認可能なドライバであって、前記後端部には、前記先端工具の形状及びサイズを含む工具情報の少なくとも一部が表示されている。
【０００８】
後端部に、工具収容手段に収容されている場合でも視認可能なように工具情報が表示されるために、収容時でもどの種類のドライバであるかが判る。そのために、このようなドライバが大量にある場合でも、所望のドライバを容易に確認できる。工具情報は、例えば色、図形、及び文字のうちの１以上により表示される。
【０００９】
本発明のドライバは、例えば、前記先端工具と前記後端部との間に、周囲に滑り止め用の溝を有して断面円状に形成された柄を備える。このような柄を備える場合に前記後端部は、円盤状で前記柄に対して空回りするようになっており、円盤の径が前記柄の断面の円の径よりも大きく形成される。このような後端部に前記工具情報が表示されることで、表示可能な工具情報の情報量をある程度確保できる。また、前記柄に、前記工具情報の前記後端部に表示されていない残部が、色、図形、及び文字のうちの１以上により表示されてもよい。柄には、例えば、収容時には確認できなくてもよいが、使用時には注意を喚起する必要がある情報等を表示する。
【発明の効果】
【００１０】
以上のような本発明のドライバは、ドライバの後端部に工具情報を表示するために、先端工具が視認できない状態でも容易に先端工具の形状、サイズ等が判るようになる。そのために、ユーザはドライバの先端工具が視認できなくとも所望のドライバを確認できるようになる。
【発明を実施するための最良の形態】
【００１１】
以下、本発明の実施形態を図面を参照して詳細に説明する。
図１は、本発明の工具の一実施形態であるドライバの外観図である。
ドライバ１は、先端部に先端工具（図１ではプラス形状）１１が形成された軸部１０と、周囲に滑り止め用の溝が形成された断面円状の柄２０と、円盤状で柄２０に対して空回りするようになっている後端部２１と、を備えている。軸部１０と柄２０とは固着されており、取り外しができないようになっている。先端工具１１には、図１のプラス形状の他に、マイナス形状、六角形状、三角形状、ナット形状等の他の形状を用いることができる。先端工具の形状によりドライバ１の種類がきまる。柄２０は、ユーザの把持のし易さ、作業のし易さなどを考慮して、最適な大きさ、形状とすることができる。
【００１２】
後端部２１は、柄２０よりも径が大きく形成されている。後端部２１を手のひらで押すことで、ドライバ１をねじに対して垂直に保つことが容易になる。これによりユーザの指は、「掴む」「押す」という動作から開放されて回す動作に専念でき、回転力を微妙に加減できる。人差し指で後端部２１を押さえ、親指と中指で回す使い方も可能である。
【００１３】
後端部２１は、このドライバ１の種類に応じて色付けされている。例えば、先端工具１１がプラス形状でプラスドライバであれば金色、マイナス形状でマイナスドライバであれば緑色、ナット形状でナットドライバであれば黒色、といった具合に後端部２１が色付けされる。そのために、後端部２１の色により、ドライバの種類が判別可能である。
【００１４】
また、後端部２１には、先端工具１１の形状が図示されている。図１では、「＋」が図示されており、先端工具１１がプラス形状であることを表している。「＋」の他に、例えば「−」や六角形等で、プラス形状、ナット形状を表すことができる。更に、後端部２１には先端工具１１のサイズが表示されている。図１では「２．０」が表示されており、この先端工具１１のサイズが２．０であることを表している。
なお、この実施形態では、先端工具１１の形状及びサイズを後端部２１に表示しているが、これは一例であり、目視できる位置であれば、柄２０及び後端部２１のどこに表示してもよい。
【００１５】
このように、後端部２１に色、図形、文字によりドライバ１の種類、先端工具１１の形状、サイズ等の、ドライバ１の仕様や特徴を表す工具情報が表示されているために、例えば軸部１０が工具収容箱等に収容されて先端工具１１が視認できない場合でも、ユーザは、後端部２１を確認するだけで、当該ドライバ１の先端工具１１がどのような形状、サイズであるかを知ることができる。そのために、ドライバ１の確認が容易になる。
【００１６】
工具情報には、先端工具１１の形状、サイズの他にも様々なドライバ１に関する情報がある。例えば、先端工具１１が着磁しているか、軸部１０が柄２０を貫通している貫通型か、先端工具１１及び軸部１０が通電するようになっているか、柄２０が絶縁加工されているか、ＪＩＳ（Japanese Industrial Standards）規格か等、多種多様である。
これらのすべての工具情報を後端部２１に表示することは事実上不可能である。しかし、先端工具１１及び軸部１０が通電するようになっているか、柄２０が絶縁加工されているか等の情報は、ドライバ１の使用状況によってはユーザの生命を脅かす危険もあるために、注意を喚起する意味でも表示しておいた方がよい。
【００１７】
図２は、図１のドライバよりも更に多くの工具情報を提供するための柄２２及び後端部２４の外観図である。このドライバ２は、図示を省略しているが、図１のドライバ１と同様の軸部１０及び先端工具１１を有している。後端部２４には、ドライバ１の後端部２１と同様に、色、図形、文字により工具情報を表示してある。柄２２には、ドライバ１の柄２０と同様の溝が設けられていてもよい。
【００１８】
柄２２には、カラーバー２３ａ、２３ｂ、２３ｃが表示されている。カラーバー２３は、印刷、塗布、テープの貼り付け等により表示される。カラーバー２３ａ、２３ｂ、２３ｃは、後端部２４に表示しきれない工具情報を表している。後端部２４には、ドライバの種類、先端工具の形状、サイズが表示されるので、それ以外の工具情報がカラーバー２３ａ、２３ｂ、２３ｃにより表示される。
【００１９】
例えば、軸部１０側に表示されるカラーバー２３ａの色により先端工具１１及び軸部１０が通電するようになっているかを表し、中央に表示されるカラーバー２３ｂの色により柄２２が絶縁加工されているかを表し、後端部２４側に表示されるカラーバー２３ｃの色によりドライバ２が貫通型であるかを表す。この例のカラーバー２３ａ、２３ｂ、２３ｃでは、これらの組み合わせでドライバ２が電気を通す可能性があるかを表し、ドライバ２による感電の可能性を示している。これにより、ユーザに使用上の注意を喚起できる。また、各カラーバー２３ａ、２３ｂ、２３ｃの色でなく、その有無により工具情報を表してもよい。
【００２０】
カラーバー２３ａ、２３ｂ、２３ｃの数はさらに多くてもよい。数が多いほど、より多くの工具情報を表すことができる。、また、図２ではカラーバー２３ａ、２３ｂ、２３ｃにより工具情報を表示したが、これに限らず、後端部２４に表示される工具情報のように、色、図形、文字の少なくとも１以上を用いてもよい。
【００２１】
以上のようなドライバ１、２は、例えば保管時に図３のような工具収容箱３に収容される。図３はドライバ２を工具収容箱３に収容した状態を状態を説明する図である。工具収容箱３には、開口部３１が多数設けられている。開口部３１には、ドライバ２が先端工具１１が奥になるように収容される。そのためにドライバ２の先端工具１１はユーザから視認不可になる。ドライバ２の後端部２１は、開口部１３から露出するために、後端部２１に表示された色、図形、文字が視認可能になる。そのために、工具収容箱３からドライバ２を取り出さなくても、ドライバの種類、サイズを確認できる。また、ドライバ２を工具収容箱３から完全に取り出さなくとても、柄２２までを取り出すことで、柄２２に表示された工具情報を確認することができる。
【図面の簡単な説明】
【００２２】
【図１】本発明の一実施形態のドライバの外観図である。
【図２】別の実施形態のドライバの柄の外観図である。
【図３】ドライバを工具収容箱に収容した状態を説明する図である。
【符号の説明】
【００２３】
１、２  ドライバ
１０  軸部
１１  先端工具
２０、２２  柄
２１、２４  後端部
２３ａ、２３ｂ、２３ｃ  カラーバー
３    工具収容箱
３１  開口部
【図１】
2009039831.tif 000003
【図２】
2009039831.tif 000004
【図３】
2009039831.tif 000005